(57)【特許請求の範囲】
【請求項１】
通話者の音声を入力するマイクと、通話相手の音声を出力するスピーカと、文字や記号などを表示可能な表示装置とを一つのケース体内に備えた電話装置において、
１の電話装置との回線の閉結中に新たに他の電話装置から着呼があった場合、交換機側から送られる他の電話装置の電話番号を受信可能な受信手段と、
その受信手段により受信された他の電話装置の電話番号を前記表示装置へ表示する表示手段と、
前記受信手段による他の電話装置の電話番号の受信後に前記マイクの入力感度を上昇させるマイク感度上昇手段とを備えていることを特徴とする電話装置。
【請求項２】
前記マイク感度上昇手段により上昇された前記マイクの入力感度を所定のタイミングで通常の入力感度に復帰するマイク感度復帰手段を備えていることを特徴とする請求項１記載の電話装置。
【請求項３】
前記マイクへ入力される音声レベルを検出する検出手段と、
前記マイク感度上昇手段により前記マイクの入力感度が上昇されている間に、前記検出手段により前記マイクへ入力される音声レベルが小さくなったことが検出された場合、前記スピーカの音量を大きくするスピーカ音量増大手段とを備えていることを特徴とする請求項１または２に記載の電話装置。
【請求項４】
前記スピーカ音量増大手段により大きくされた前記スピーカの音量を所定のタイミングで元の音量に復帰するスピーカ音量復帰手段を備えていることを特徴とする請求項３に記載の電話装置。
【請求項５】
前記スピーカ音量復帰手段は、前記検出手段により前記マイクへ入力される音声レベルが大きくなったことが検出された場合に、前記スピーカの音量を元の音量に復帰することを特徴とする請求項４記載の電話装置。
【発明の詳細な説明】
【０００１】
【発明の属する技術分野】
本発明は、スピーカやマイクと共に表示装置を一つのケース体内に備えた電話装置に関し、特に、通話中に新たな電話がかかってきた場合、その新たにかかってきた発呼側装置の電話番号（発信者番号）を表示装置へ表示することができる電話装置に関するものである。
【０００２】
【従来の技術】
電話での通話中に他から電話がかかってきた時、簡単な操作で通話相手を切り替えることができるキャッチホンサービスが実用化されている。このキャッチホンサービスにおいて、既にアメリカでは、通話中にかけてきた発呼側装置の電話番号（発信者番号）を交換機から送信するサービスが実用化されている。電話機の中には、このサービスにより交換機から送られる発呼側装置の電話番号を受信して、通話中に、その受信した発呼側装置の電話番号を電話機の表示器（例えば、液晶ディスプレイ（ＬＣＤ））へ表示する、いわゆるコール・ウエイティング・コーラーＩＤ機能を備えたものがある。この機能を備えた電話機では、ＬＣＤの内容を見ることにより、通話中に新たにかけてきた発呼側装置の電話番号を確認することができるのである。
【０００３】
【発明が解決しようとする課題】
しかしながら、コードレスホンや携帯電話等のように、ＬＣＤが受話器と一体に構成された電話機では、キャッチホンがあった場合（通話中に他から電話がかかってきた場合）、通話者はＬＣＤに表示される発呼側装置の電話番号を確認するために受話器を顔から離すので、その間、どうしても会話が遠くなってしまうという問題点があった。
【０００４】
本発明は上述した問題点を解決するためになされたものであり、通話中に新たな電話がかかってきて、通話者がその新たにかけてきた発呼側装置の電話番号を確認するために電話装置を顔から離しても、通話者の会話を遠くすることなく維持できる電話装置を提供することを目的としている。
【０００５】
【課題を解決するための手段】
この目的を達成するために、請求項１記載の電話装置は、通話者の音声を入力するマイクと、通話相手の音声を出力するスピーカと、文字や記号などを表示可能な表示装置とを一つのケース体内に備えており、更に、１の電話装置との回線の閉結中に新たに他の電話装置から着呼があった場合、交換機側から送られる他の電話装置の電話番号を受信可能な受信手段と、その受信手段により受信された他の電話装置の電話番号を前記表示装置へ表示する表示手段と、前記受信手段による他の電話装置の電話番号の受信後に前記マイクの入力感度を上昇させるマイク感度上昇手段とを備えている。
【０００６】
この請求項１記載の電話装置によれば、１の電話装置との回線の閉結中に交換機側から送られる新たに着呼のあった他の電話装置の電話番号が受信手段によって受信されると、その受信された電話番号は、表示手段によって表示装置へ表示される。表示装置はスピーカとマイクと共に一つのケース体内に設けられている。よって、かかる場合、通話者は、新たにかかってきた電話装置の電話番号を確認するために、表示装置の内容を見ようとして電話装置を顔から離してしまう。しかし、この時、マイクの入力感度はマイク感度上昇手段によって上昇されているので、通話者が電話装置を顔から離すことにより、通話者の口とマイクとが離れてしまっても、通話者の会話が遠くなることはない。
【０００７】
請求項２記載の電話装置は、請求項１記載の電話装置において、前記マイク感度上昇手段により上昇された前記マイクの入力感度を所定のタイミングで通常の入力感度に復帰するマイク感度復帰手段を備えている。なお、マイク感度復帰手段により復帰される所定のタイミングとしては、例えば、所定の時間が経過したタイミングや、所定のキー押下がなされたタイミング等がある。
【０００８】
請求項３記載の電話装置は、請求項１または２に記載の電話装置において、前記マイクへ入力される音声レベルを検出する検出手段と、前記マイク感度上昇手段により前記マイクの入力感度が上昇されている間に、前記検出手段により前記マイクへ入力される音声レベルが小さくなったことが検出された場合、前記スピーカの音量を大きくするスピーカ音量増大手段とを備えている。
【０００９】
この請求項３記載の電話装置によれば、請求項１または２に記載の電話装置と同様に作用する上、通話者が新たにかけてきた電話装置の電話番号を確認するために表示装置の内容を見ようとして電話装置を顔から離すと、マイクへ入力される音声レベルが小さくなり、それが検出手段により検出される。その結果、スピーカ音量増大手段によってスピーカの音量が大きくされる。
【００１０】
請求項４記載の電話装置は、請求項３に記載の電話装置において、前記スピーカ音量増大手段により大きくされた前記スピーカの音量を所定のタイミングで元の音量に復帰するスピーカ音量復帰手段を備えている。なお、スピーカ音量復帰手段により復帰される所定のタイミングとしては、請求項５に記載されるタイミングの他、例えば、所定の時間が経過したタイミングや、所定のキー押下がなされたタイミング等がある。
【００１１】
請求項５記載の電話装置は、請求項４記載の電話装置において、前記スピーカ音量復帰手段は、前記検出手段により前記マイクへ入力される音声レベルが大きくなったことが検出された場合に、前記スピーカの音量を元の音量に復帰するものである。この請求項５記載の電話装置によれば、請求項４記載の電話装置と同様に作用する上、通話者が顔から離した電話装置を、再び元の位置に戻して通話を行うと、マイクへ入力される音声レベルが大きくなって、それが検出手段により検出される。その結果、大きくされていたスピーカの音量が、スピーカ音量復帰手段によって元の音量に戻される。
【００１２】
【発明の実施の形態】
以下、本発明の好ましい実施例について、添付図面を参照して説明する。図１は、本発明の一実施例である電話装置１の外観斜視図である。電話装置１の本体２には、その前面上部に、通話相手の音声を出力するスピーカ３が設けられており、そのスピーカ３の下方には、複数の文字や記号を表示可能な液晶ディスプレイ（ＬＣＤ）５が設けられている。ＬＣＤ５には、電話装置１の使用状態や時刻のほかに、他の電話との通話中に新たな電話がかかってきた場合（キャッチホンがあった場合）、交換機２９から送られる新たな発呼側装置の電話番号（発信者番号）が表示される。
【００１３】
ＬＣＤ５の下方には、解除キーをはじめ、電話番号の入力や、着信（電話回線の閉結）、切断（電話回線の開放）などの各種の操作を行うための複数の操作ボタン４が設けられており、更に、その操作ボタン４の下方には、通話者の音声を入力するためのマイク６が設けられている。このように電話装置１では、スピーカ３及びマイク６に加え、ＬＣＤ５や操作ボタン４が一つの本体２内に設けられている。なお、この電話装置１は、本体２の上部に設けられたアンテナ７を介して、電話回線３１と無線通信により接続されている。
【００１４】
図２は、本電話装置１の電気的構成を示したブロック図である。電話装置１には、ＣＰＵ１１、ＲＯＭ１２、ＲＡＭ１３、音声ＬＳＩ１７、ネットワーク・コントロール・ユニット（ＮＣＵ）１８、トーン検出器１９、アンプ２０、ＬＣＤ５、操作ボタン４、マイク６が備えられ、これらはバスライン３０を介して互いに接続されている。
【００１５】
ＮＣＵ１８は、回線制御を行うためのものであり、アンテナ７を介して無線通信により電話回線３１に接続されている。このＮＣＵ１８は、交換機２９から送信される呼び出し信号や発呼側装置の電話番号（発信者番号）等を受信すると共に、操作ボタン４の操作に応じた発信時のダイヤル信号を交換機２９へ送信し、更には、通話時におけるアナログ音声信号の送受信を行うものである。
【００１６】
ＣＰＵ１１は、このＮＣＵ１８を介して送受信される各種信号に従って、バスライン３０により接続された各部を制御し、通話処理やデータ通信処理などを実行するものである。ＲＯＭ１２は、電話装置１で実行される各種の制御プログラムや固定値データなどを格納した書換不能なメモリである。図３のフローチャートに示すプログラムは、このＲＯＭ１２内に格納されている。ＲＡＭ１３は、電話装置１の各処理の実行時に各種のデータを一時的に記憶するためのメモリであり、このＲＡＭ１３には、例えばマイク６の入力感度やスピーカ３の音量の設定値などが記憶されている。
【００１７】
音声ＬＳＩ１７は、ＮＣＵ１８によって受信されたアナログ音声信号をデジタル音声信号に変換すると共に、この電話装置１の内部で生成されたデジタル音声信号をアナログ音声信号に変換してＮＣＵ１８へ出力するためのものである。また、トーン検出器１９は、交換機２９から送信される発呼側装置の電話番号を検出するものであり、アンプ２０は、そのアンプ２０に接続されるスピーカ３を鳴動し、呼び出し音や音声を出力するためのものである。
【００１８】
このように構成された電話装置１は、ＮＣＵ１８を介して、無線通信により電話回線３１に接続されている。電話回線３１は交換機２９に接続され、交換機２９は別の電話回線３２を介して他の交換機に接続されており、他の交換機は更に電話回線を介して発呼側装置に接続されている。
【００１９】
次に、図３のフローチャートに基づいて、上記のように構成された電話装置１のキャッチホン処理について説明する。このキャッチホン処理は、通話中に新たな電話が他からかかってきた場合に実行される処理である。
【００２０】
通話中に新たな電話がかかってくると、その旨を報せる信号が交換機２９から送信される。この信号を受信すると、電話装置１はキャッチホン処理を実行する。キャッチホン処理では、まず『ツー・・・ププッ、ププッ・・・』という割り込み音がスピーカ３から出力され（Ｓ１）、通話者に新たな電話がかかってきたことが報される。
【００２１】
通話者の被呼側装置が従来技術の欄で説明した『コール・ウエイティング・コーラーＩＤ』のサービスに加入しており、かつ、発呼側装置が電話番号の通知を拒否していない場合には、交換機２９から発呼側装置の電話番号（発信者番号）が送信される。電話装置１がこの発信者番号を受信した場合には（Ｓ２：Ｙｅｓ）、通話者に新たな電話の発信者を報せるため、その発信者番号をＬＣＤ５に表示する（Ｓ３）。一方、通話者の被呼側装置が『コール・ウエイティング・コーラーＩＤ』のサービスに加入していなかったり、或いは、発呼側装置が電話番号の通知を拒否している場合には、交換機２９から発信者番号は送信されないので（Ｓ２：Ｎｏ）、その場合にはＳ３の処理をスキップして、Ｓ４の処理へ移行する。
【００２２】
通話者は、一般に、Ｓ１の処理により新たな電話がかかってきたことを認識すると、発信者を確認するために、ＬＣＤ５に表示される発信者番号を見ようとして電話装置１を顔から離す。電話装置１が顔から離されると、通話者の口とマイク６との距離が大きくなるので、通話相手へ送られる音声が小さくなって、電話が遠くなってしまう。そこで、マイク６の入力感度をアップして（Ｓ４）、電話が遠くならないようにしている。通話者による発信者番号の確認は、通常２〜３秒間で終了する。よって、マイク６の入力感度がアップされた状態を、例えば３秒間程度で終了させるために、３秒間の計時を行うタイマーをスタートする（Ｓ５）。
【００２３】
タイマーのスタート後（Ｓ５）、タイムアップ前であれば（Ｓ６：Ｎｏ）、マイク６への入力レベルが小さくなったか否かを判断する（Ｓ７）。マイク６への入力レベルが小さくなっていれば（Ｓ７：小）、通話者の口とマイク６との距離が大きくなっている、即ち、電話装置１が通話者の顔から離されているということであるので、かかる場合には、通話者が通話相手の音声を容易に聞き取ることができるように、スピーカ３の音量を大とするのである（Ｓ８）。一方、マイク６への入力レベルが通常のままであれば（Ｓ７：通常）、電話装置１は未だ通話者の顔から離されていないので、かかる場合には、スピーカ３の音量を通常に維持しておくのである（Ｓ９）。即ち、かかる場合にスピーカ３の音量を大とすると、通話者の耳元で突然大きな音がして、通話者を驚かせたり、通話者に不快感を与えてしまうからである。
【００２４】
なお、前記した通り、電話装置１が通話者の顔から離されて通話者の口とマイク６との距離が大きくなると、マイク６への入力レベルが小さくなって（Ｓ７：小）、スピーカ３の音量は大とされる（Ｓ８）。しかし、その後、タイムアップ前に（Ｓ６：Ｎｏ）、電話装置１が通話者の顔へ戻された場合には、通話者の声のマイク６への入力レベルが通常に復帰するので（Ｓ７：通常）、その復帰のタイミングを契機として、スピーカ３の音量を通常に戻すのである（Ｓ９）。このように、電話装置１が一旦通話者の顔から離された後に、再び元の位置へ戻された場合にも、過度な音量により通話者に不快感を与えてしまうことがないのである。
【００２５】
スピーカ３の音量調節後（Ｓ７〜Ｓ９）、操作ボタン４の解除キーが押下されたか調べられる（Ｓ１０）。解除キーが非押下であれば（Ｓ１０：Ｎｏ）、処理をＳ６へ移行して、タイムアップが判断される（Ｓ６）。その結果、タイムアップされるまで、前記したＳ６〜Ｓ１０の各処理が繰り返し実行される。
【００２６】
一方、Ｓ６の処理において、タイマーのタイムアップが確認された場合（Ｓ６：Ｙｅｓ）、または、Ｓ１０の処理において、操作ボタン４の解除キーの押下が確認された場合には（Ｓ１０：Ｙｅｓ）、スピーカ３の音量およびマイク６の入力感度を通常に戻し（Ｓ１１，Ｓ１２）、ＬＣＤ５に表示されている発信者番号を消去して（Ｓ１３）、このキャッチホン処理を終了するのである。
【００２７】
なお、Ｓ５の処理により一旦アップされたマイク６の入力感度は、タイマーがタイムアップするまで維持される（Ｓ６）。しかし、タイマーのタイムアップ前であっても、解除キーを押下することにより、マイク６の入力感度を元に戻すことができるのである。また、発信者番号表示の消去処理（Ｓ１３）は、必ずしも、このキャッチホン処理の終了時に実行する必要はなく、例えば、通話の終了時や次回の新たな着呼時に、この処理（Ｓ１３）を実行するようにしても良い。
【００２８】
以上説明したように本実施例の電話装置１によれば、通話中に新たな電話がかかってきた場合、その新たにかかってきた発呼側装置の電話番号（発信者番号）をＬＣＤ５に表示するとともに、マイク６の入力感度をアップしている。よって、通話者が新たにかかってきた発信者を確認するためにＬＣＤ５の表示を見ようとして、電話装置１を顔から離し、通話者の口とマイクとが離れてしまっても、通話相手へ送られる音声を小さくすることなく、即ち電話を遠くしてしまうことなく、通話を維持することができるのである。また、スピーカ３の音量は、マイク６への入力レベルに応じて大とされる。よって、通話に適したスピーカ３の音量とすることができ、通話者の耳元でスピーカ３の音量が突然大きくなってしまうことを防止することができる。
【００２９】
なお、請求項１から４に記載の電話装置における表示手段としてはＳ３の処理が、マイク感度上昇手段としてはＳ４の処理が、マイク感度復帰手段としてはＳ１２の処理が、検出手段としてはＳ７の処理が、スピーカ音量増大手段としてはＳ８の処理が、スピーカ音量復帰手段としてはＳ９及びＳ１１の処理が、それぞれ該当する。また、請求項５記載の電話装置におけるスピーカ音量復帰手段としてはＳ９の処理が該当する。
【００３０】
以上、実施例に基づき本発明を説明したが、本発明は上記実施例に何ら限定されるものではなく、本発明の趣旨を逸脱しない範囲内で種々の改良変形が可能であることは容易に推察できるものである。
【００３１】
例えば、本発明は、無線により電話回線と接続された携帯電話やコードレスホンなどに限って適用されるものではない。即ち、マイクやスピーカと共に表示装置（ＬＣＤ）が１つのケース体内に設けられている電話装置であれば、有線で電話回線に接続されていても適用することができるのである。
【００３２】
【発明の効果】
請求項１記載の電話装置によれば、通話中に新たな電話がかかってきた場合、その新たにかかってきた電話装置の電話番号は表示装置に表示される。表示装置はスピーカやマイクと共に一つのケース体内に設けられているので、かかる場合、通話者は、新たにかかってきた電話装置の電話番号を確認するために表示装置の内容を見ようとして電話装置を顔から離してしまう。しかし、この時、マイクの入力感度は上昇されているので、通話者が電話装置を顔から離すことにより、通話者の口とマイクとが離れてしまっても、通話者の会話を遠くすることなく維持することができるという効果がある。
【００３３】
請求項２記載の電話装置によれば、請求項１記載の電話装置の奏する効果に加え、更に、上昇されたマイクの入力感度は、所定のタイミングで通常の入力感度に復帰される。よって、通話相手へ過度な音量の音声を出力し続けることなく、良好な通話を維持することができるという効果がある。
【００３４】
請求項３記載の電話装置によれば、請求項１または２に記載の電話装置の奏する効果に加え、更に、マイクの入力感度が上昇されている間に、マイクへ入力される音声レベルが小さくなると、スピーカの音量が大きくされる。よって、通話者が新たにかかってきた電話装置の電話番号を確認するために電話装置を顔から離して通話を行うと、マイクへ入力される音声レベルが小さくなって、スピーカの音量が大きくなる。従って、通話者は電話装置を顔から離したままの状態で、良好な通話を続けることができるという効果がある。一方、スピーカの音量はマイクへ入力される音声レベルが小さくなった場合に大きくされるので、通話者が電話装置を顔から離さないで通話を続けている場合には、スピーカの音量は通常の音量に維持される。よって、スピーカの音量が突然大きくなって、通話者を驚かせたり、通話者に不快感を与えてしまうことがないという効果がある。
【００３５】
請求項４記載の電話装置によれば、請求項３に記載の電話装置の奏する効果に加え、更に、大きくされたスピーカの音量は、所定のタイミングで元の音量に復帰される。よって、過度なスピーカ音量により通話者へ不快感を与えることなく、良好な通話を維持することができるという効果がある。
【００３６】
請求項５記載の電話装置によれば、請求項４記載の電話装置の奏する効果に加え、更に、一旦大きくされたスピーカの音量は、マイクへ入力される音声レベルが大きくなると、元の音量に復帰される。即ち、通話者が顔から離していた電話装置を、再び元の位置に戻して通話を行うと、マイクへ入力される音声レベルが大きくなり、その結果、大きくされていたスピーカの音量が元の音量に戻される。よって、通話者が電話装置を元の位置に戻すことにより、スピーカの音量も元の音量に戻されるので、適度なスピーカの音量で通話を継続することができるという効果がある。
【図面の簡単な説明】
【図１】  本発明の一実施例である電話装置の斜視図である。
【図２】  上記電話装置の電気的構成を示したブロック図である。
【図３】  キャッチホン処理を示したフローチャートである。
【符号の説明】
１          電話装置
２          本体（ケース体）
３          スピーカ
４          操作ボタン
５          液晶ディスプレイ（ＬＣＤ）（表示装置）
６          マイク
１８        ネットワークコントロールユニット（ＮＣＵ）（受信手段の一部）
１９        トーン検出器（受信手段の一部）
２９        交換機
３１，３２  電話回線
【図１】
0003791175.tif 000002
【図２】
0003791175.tif 000003
【図３】
0003791175.tif 000004